(57)【要約】【課題】電線の束をしっかり固定することが可能な電線カバーを提供する。【解決手段】ハウジング３０の後面側に装着されて前記ハウジング３０の後面から引き出された電線３１の束を所定の方向に引き出させる電線カバー１０であり、前記電線３１の束の外面の周方向における一部分に沿うように湾曲した形状をなして、前記電線３１の束を結束する結束部材４０の通り道となるバンド通道部１５と、前記バンド通道部１５の前記周方向における端部に設けられ、前記結束部材４０のうち前記電線３１の束に巻き付くバンド部４１を所定の位置でロックするロック部４２が位置決めされるロック固定部１７と、前記ロック固定部１７に設けられた補強部１８と、を備えている。【選択図】図９
2017059428.tif 000002
【特許請求の範囲】
【請求項１】
ハウジングの後面側に装着されて前記ハウジングの後面から引き出された電線の束を所定の方向に引き出させる電線カバーであり、
前記電線の束の外面の周方向における一部分に沿うように湾曲した形状をなして、前記電線の束を結束する結束部材の通り道となるバンド通道部と、
前記バンド通道部の前記周方向における端部に設けられ、前記結束部材のうち前記電線の束に巻き付くバンド部を所定の位置でロックするロック部が位置決めされるロック固定部と、
前記ロック固定部に設けられた補強部と、
を備えている電線カバー。
【請求項２】
前記補強部が、前記バンド部の側縁に沿うように前記周方向に延びて設けられている請求項１に記載の電線カバー。
【請求項３】
前記ロック固定部が、前記バンド通道部の前記周方向における両端部に設けられている請求項１または請求項２に記載の電線カバー。
【請求項４】
前記バンド通道部のうち前記周方向における中間部に、前記バンド通道部を内外方向に連通する切欠き部が設けられている請求項１ないし請求項３のいずれか一項に記載の電線カバー。
【請求項５】
前記電線の束のうち前記ハウジングの後面から前記バンド通道部までに配される部分を覆うカバー本体を有し、
前記バンド通道部のうち前記バンド部が沿う面が、前記カバー本体の後面よりも前側に位置している請求項１ないし請求項４のいずれか一項に記載の電線カバー。
【発明の詳細な説明】
【技術分野】
【０００１】
本発明は、電線カバーに関する。
【背景技術】
【０００２】
従来、ハウジングの後面側に電線カバーを装着して、ハウジングの後面から引き出された電線の束を所定方向に引き出すようにしたコネクタが知られている。この種の電線カバーにおいて、下記特許文献１に記載された電線カバーには、結束バンドを巻回して電線の束が固定されるようになっている。電線の束が固定される電線固定部は、電線カバーの電線引出口に設けられ、前面側が開放された断面略門型をなしている。電線の束は、結束バンドによって締め付けられ、電線固定部の内側に押し付けられて固定される。
【先行技術文献】
【特許文献】
【０００３】
【特許文献１】特開２００２−３４３４９７号公報
【発明の概要】
【発明が解決しようとする課題】
【０００４】
しかしながら、上記のような構成では、電線の束を固定する前の状態において、例えばハーネス組立工場に納入するまでの過程で何らかの力が加わると、電線固定部が開くような変形をしてしまう虞がある。電線固定部が変形してしまうと、電線の束をしっかりと固定できない場合がある。また、結束バンドの巻回作業時に、結束バンドが周方向にまわってしまい、電線の束を十分に締付けることが難しい場合がある。
【０００５】
本発明は上記のような事情に基づいて完成されたものであって、電線の束をしっかり固定することが可能な電線カバーを提供することを目的とする。
【課題を解決するための手段】
【０００６】
本発明は、ハウジングの後面側に装着されて前記ハウジングの後面から引き出された電線の束を所定の方向に引き出させる電線カバーであり、前記電線の束の外面の周方向における一部分に沿うように湾曲した形状をなして、前記電線の束を結束する結束部材の通り道となるバンド通道部と、前記バンド通道部の前記周方向における端部に設けられ、前記結束部材のうち前記電線の束に巻き付くバンド部を所定の位置でロックするロック部が位置決めされるロック固定部と、前記ロック固定部に設けられた補強部と、を備えている。
【発明の効果】
【０００７】
本発明によれば、バンド通道部のうち最も変形しやすい周方向の端部に補強部が設けられているから、バンド通道部の変形を効果的に抑制することができ、また、バンド通道部の周方向の端部に設けられたロック固定部によって、結束部材のロック部が位置決めされるから、結束部材によって電線の束を充分に締め付けてしっかり固定することができる。
【図面の簡単な説明】
【０００８】
【図１】本実施例における電線カバーであって、ハウジングに装着されて電線の束が固定された状態を示す断面図
【図２】電線カバーを示す斜視図
【図３】電線カバーを示す正面図
【図４】電線カバーを示す背面図
【図５】電線カバーを示す平面図
【図６】電線カバーを示す断面図
【図７】電線カバーの電線引出口側を示す側面図
【図８】電線カバーの閉塞側を示す側面図
【図９】ハウジングに装着されて電線の束が固定された状態の電線カバーの電線引出口側を示す側面図
【図１０】ハウジングに装着されて電線の束が固定された状態の電線カバーの断面図であって、図５のＡ−Ａ位置における断面に相当する断面図
【図１１】電線の束が固定された状態のバンド通道部を示す一部拡大正面図
【図１２】電線の束が固定された状態のバンド通道部を示す一部拡大背面図
【図１３】電線の束が固定された状態のバンド通道部を示す一部拡大平面図
【図１４】ハウジングに装着されて電線の束が反対側から固定された状態の電線カバーの電線引出口側を示す側面図
【図１５】ハウジングに装着されて細径電線の束が固定された状態の電線カバーを示す断面図
【図１６】ハウジングに装着されて細径電線の束が固定された状態の電線カバーの電線引出口側を示す側面図
【図１７】細径電線の束が固定された状態のバンド通道部を示す一部拡大正面図
【図１８】細径電線の束が固定された状態のバンド通道部を示す一部拡大背面図
【図１９】細径電線の束が固定された状態のバンド通道部を示す一部拡大平面図
【発明を実施するための形態】
【０００９】
本発明の好ましい形態を以下に示す。
本発明の電線カバーは、前記補強部が、前記バンド部の側縁に沿うように前記周方向に延びて設けられているものとしてもよい。このような構成によれば、補強部によってバンド部の位置決めがなされるから、バンド部がずれて緩むことなく電線の束を充分に締め付けることができる。
【００１０】
また、本発明の電線カバーは、前記ロック固定部が、前記バンド通道部の前記周方向における両端部に設けられているものとしてもよい。このような構成によれば、バンド通道部のどちらの側の端部にも結束部材のロック部を位置決めできるから、結束部材の締め付け作業をどちらの側からも行うことができる。
【００１１】
また、本発明の電線カバーは、前記バンド通道部のうち前記周方向における中間部に、前記バンド通道部を内外方向に連通する切欠き部が設けられているものとしてもよい。このような構成によれば、電線の束が細い場合であっても、切欠き部に結束部材のバンド部を通すことにより、電線の束を充分に締め付けてしっかり固定することができる。
【００１２】
また、本発明の電線カバーは、前記電線の束のうち前記ハウジングの後面から前記バンド通道部までに配される部分を覆うカバー本体を有し、前記バンド通道部のうち前記バンド部が沿う面が、前記カバー本体の後面よりも前側に位置しているものとしてもよい。このような構成によれば、巻き付けられた結束部材のバンド部の厚み分が、カバー本体の後面から突出することを防ぐことができる。
【００１３】
＜実施例＞
以下、本発明を具体化した一実施例について、図１〜図１９を参照しつつ詳細に説明する。
本実施例における電線カバー１０は、ハウジング３０の後面側に装着されてハウジング３０の後面から引き出された電線３１の束を所定の方向に引き出させるものである。以下、各構成部材において、図１の左側を前方、右側を後方、また図３の上下方向を高さ方向、左右方向を幅方向として説明する。
【００１４】
ハウジング３０は、合成樹脂製であって、幅方向に長い略直方体状に形成されている。ハウジング３０には、電線３１の端末部に固着された端子金具３２が、後方から収容されるようになっている。
電線カバー１０は、合成樹脂製であって、全体として幅方向に長い箱状をなしている。電線カバー１０は、高さ方向における中心を境に対称な形状をなしている。
【００１５】
電線カバー１０は、ハウジング３０の後面の略全体を覆うカバー本体１１を備えている。カバー本体１１は、幅方向に長い形状をなし、幅方向における一方の側は電線引出口１２によって開放され、他方の側は壁部１３によって閉塞されている。ハウジング３０の後面から後方に引き出された電線３１の束は、カバー本体１１の内部において略直角に屈曲され、電線引出口１２から外側（ハウジング３０の後面に対して略平行な方向）に引き出される。
【００１６】
カバー本体１１には、ハウジング３０の後端部に係止するロック片１４が複数設けられている。各ロック片１４は、カバー本体１１から前方に突出している。ロック片１４は、カバー本体１１の幅方向における両端部に設けられている。電線引出口１２側の端部には、高さ方向に一対のロック片１４が設けられている。
【００１７】
電線３１の束は、結束部材４０に結束されて電線カバー１０に固定される。結束部材４０は、電線３１の束に巻き付くバンド部４１と、バンド部４１を所定の位置でロックするロック部４２とを備えている。バンド部４１は、電線３１の束の全周に巻回されるだけの充分長さ寸法を有して、ロック部４２から一方向に延出している。ロック部４２は、角ブロック状をなし、内部には、バンド部４１が挿入される挿入穴４３が設けられている（図１０参照）。挿入穴４３には、バンド部４１に設けられた係止部４４に係止してバンド部４１を固定する係止受け部４５が設けられている。
【００１８】
電線カバー１０には、結束部材４０の通り道となるバンド通道部１５が設けられている。バンド通道部１５は、ロック片１４と隣接して電線引出口１２に設けられている。バンド通道部１５は、電線３１の束の外面の周方向における一部分に沿うように湾曲した形状をなし、前面側が開放されている。
【００１９】
バンド通道部１５には、バンド通道部１５を内外方向（前後方向）に連通する切欠き部１６が設けられている。切欠き部１６は、バンド通道部１５の高さ方向における中間部（周方向における中間部）に設けられている。切欠き部１６は、図４に示すように、後方から見ると、高さ方向に長い長方形状をなしている。切欠き部１６は、全体が電線３１の引き出し方向（短手方向）に開放されている。
【００２０】
バンド通道部１５のうち高さ方向における両端部には、結束部材４０のロック部４２が位置決めされるロック固定部１７が設けられている。各ロック固定部１７は、全体として四半円弧状に湾曲した形状とされている。ロック固定部１７は、図１０に示すように、切欠き部１６に隣接して設けられた円弧部１７Ａと、円弧部１７Ａの周方向における端（前端）から前方に突出する突出部１７Ｂとを備えている。高さ方向（図１０では左右方向）に対向する一対の突出部１７Ｂは、互いに略平行をなしている。
【００２１】
ロック固定部１７には、補強部１８が設けられている。補強部１８は、ロック固定部１７において外側に突出した形態をなしている。補強部１８は、図２に示すように、バンド通道部１５の周方向に延びて設けられた一対の第１補強部１８Ｆと、一対の第１補強部１８Ｆ同士を連結する第２補強部１８Ｓとを備えている。
【００２２】
一対の第１補強部１８Ｆは、バンド部４１の両側縁に沿うように、バンド部４１の幅寸法に整合した間隔をあけ、互いに略平行をなして対向配置されている。一対の第１補強部１８Ｆは、概ね同じ外形をなしている。
【００２３】
第１補強部１８Ｆは、円弧部１７Ａの切欠き部１６側の端縁から、突出部１７Ｂの端縁（前端縁）よりも若干中央側（後側）の位置まで、連続して形成された壁状をなしている。第１補強部１８Ｆの壁厚寸法（幅方向の寸法）は全体において略一定とされている。第１補強部１８Ｆの突出寸法は、図９に示すように、前端において最も大きくされている。第１補強部１８Ｆの前端面は、前後方向に対して略直角をなしている。
【００２４】
一対の第１補強部１８Ｆのうち一方は、電線カバー１０の端縁に沿って設けられ、他方は、切欠き部１６に沿って設けられている。切欠き部１６に沿って設けられた第１補強部１８Ｆのうち高さ方向における中央部の外面（後面）は、カバー本体１１の外面と段差なく連なっている（図６参照）。電線カバー１０の端縁に沿って設けられた第１補強部１８Ｆは、切欠き部１６によって分断されている。
【００２５】
第２補強部１８Ｓは、一対の第１補強部１８Ｆの前端部の外側を連結している。第２補強部１８Ｓの前端面は、第１補強部１８Ｆの前端面と段差なく連なり、前後方向に対して略直角をなしている。第２補強部１８Ｓの内側には、図１０に示すように、前後方向（バンド通道部１５の周方向）に貫通する孔部１９が形成されている。孔部１９には、結束部材４０のバンド部４１が挿通可能とされている。孔部１９にバンド部４１を通すことにより、バンド通道部１５から結束部材４０が外れることを防ぐことができる。
【００２６】
結束部材４０のバンド部４１は、一対の第１補強壁の間に形成された溝部２１に沿って配される。溝部２１の底面２２（バンド通道部１５のうちバンド部４１が沿う面）は、図１０に示すように、カバー本体１１の外側面よりも一段内側に位置している。
【００２７】
溝部２１の底面２２は、切欠き部１６の両側に位置して円弧形状に湾曲した円弧面２２Ａと、円弧面２２Ａの一端から前方に向かう平坦な平坦面２２Ｂとを有している。溝部２１の底面２２のうち最も後側に位置する部分（円弧面２２Ａのうち切欠き部１６の両側に位置する部分であって、以後、底面後端部２３と称する）は、カバー本体１１の後面よりも一段前側に位置している。底面後端部２３とカバー本体１１の後面との間の前後方向の段差は、バンド部４１の厚さ寸法よりも若干大きくされている。底面後端部２３は、前後方向に対して略直角をなしている。
【００２８】
ロック固定部１７の補強部１８の前端面（一対の第１補強部１８Ｆおよび第２補強部１８Ｓの前端面）は、ロック部４２を位置決めする第１位置決め部２４を構成している。第１位置決め部２４によって、ロック部４２は、後側への位置ずれが制限される。
【００２９】
また、ロック固定部１７の突出部１７Ｂのうち補強部１８よりも前方に突出した部分の外側面は、ロック部４２を位置決めする第２位置決め部２５を構成している。第２位置決め部２５によって、ロック部４２は、内側への位置ずれが制限される。
【００３０】
第１位置決め部２４と第２位置決め部２５とは略直角をなしている。第１位置決め部２４および第２位置決め部２５によってロック部４２が周方向に位置決めされることにより、結束部材４０は、周方向にまわることが防がれる。
【００３１】
次に、本実施例の電線カバー１０に電線３１の束を固定する作業の一例について説明する。
まず、電線３１の束をバンド通道部１５の内面に沿わせるようにして、結束部材４０を巻き付ける。最初に、結束部材４０のバンド部４１の先端を、ロック固定部１７の孔部１９に前側から通して後方に引っ張る。このとき、図９または図１４に示すように、一対のロック固定部１７のうち作業を行いやすい側に位置するロック固定部１７の孔部１９にバンド部４１を通すことができる。バンド部４１を後方に引っ張ると、ロック部４２が第１位置決め部２４に前方から当接して止まる。
【００３２】
次いで、バンド部４１を他方のロック固定部１７側にまわし、他方のロック固定部１７の孔部１９に後方から通して前方に引っ張る。すると、バンド部４１は、弛みなく切欠き部１６に架け渡され、溝部２１の底面２２に密着する。孔部１９から前方に延出したバンド部４１を、電線３１の束の前面側に巻き、ロック部４２の挿入穴４３に挿入する。ロック部４２の挿入穴４３を通って外側に延出したバンド部４１を強く引っ張って締め上げると、ロック部４２には内向きの力（バンド部４１の締め上げに対抗する力）が作用する。しかしながら、ロック部４２は、第２位置決め部２５に当接することにより内側への移動が制限され、周方向に位置ずれすることなく定位置に保持される。電線３１の束は、前面側に巻かれたバンド部４１によって後方に押圧され、切欠き部１６に渡されたバンド部４１およびバンド通道部１５の内面に強く押し付けられる。電線３１の束を締め上げたバンド部４１は、ロック部４２によって緩みが制限され、締め付け状態に保持される。
【００３３】
以上により、電線カバー１０に電線３１の束を固定する作業が完了する。電線カバー１０に電線３１の束が固定された状態では、高さ方向の両端に位置する２つの孔部１９にバンド部４１が通されているから、電線３１の束が強く揺すられても、結束部材４０はバンド通道部１５から外れることなく、確実に固定された状態に保持される。また、バンド通道部１５に巻き付けられたバンド部４１は、電線カバー１０の後側に突出することなく溝部２１におさめられる。
【００３４】
ところで、電線３１が、径寸法の小さい細径電線３１Ａである場合には、細径電線３１Ａの束の径寸法は小さくなる。このため、一対のロック固定部１７の孔部１９の両方にバンド部４１を通すと、細径電線３１Ａの束とバンド通道部１５との間に大きな隙間ができ、細径電線３１Ａの束を充分に締め付けることができない。
【００３５】
このような場合には、図１６に示すように、一対のロック固定部１７のうちいずれか一方のロック固定部１７の孔部１９にのみバンド部４１を通して細径電線３１Ａの束に巻き付けることができる。すなわち、結束部材４０のバンド部４１を、一方のロック固定部１７の孔部１９に前側から通して後方に引っ張ってロック部４２を位置決めし、切欠き部１６においてバンド通道部１５の内側にバンド部４１をまわして細径電線３１Ａの束に巻き付け、バンド部４１をロック部４２に挿入して締め付ける。バンド部４１は、一方のロック固定部１７の溝部２１の底面２２および細径電線３１Ａの束に密着する。細径電線３１Ａの束は、バンド部４１によって一方のロック固定部１７の内面に強く押し付けられ、しっかりと固定される。
【００３６】
次に、上記のように構成された実施例の作用および効果について説明する。
本実施例の電線カバー１０は、ハウジング３０の後面側に装着されてハウジング３０の後面から引き出された電線３１の束を所定の方向に引き出させるものであり、電線３１の束を結束する結束部材４０が固定されるバンド通道部１５を備えている。バンド通道部１５は、電線３１の束の外面の周方向における一部分に沿うように湾曲した形状をなしている。バンド通道部１５の周方向における両端部には、結束部材４０のロック部４２が位置決めされるロック固定部１７が設けられ、ロック固定部１７には補強部１８が設けられている。
【００３７】
この構成によれば、バンド通道部１５のうち最も変形しやすい周方向の両端部に補強部１８が設けられているから、バンド通道部１５の変形を効果的に抑制することができ、また、バンド通道部１５の周方向の両端部に設けられたロック固定部１７によって、結束部材４０のロック部４２が位置決めされるから、結束部材４０によって電線３１の束を充分に締め付けてしっかり固定することができる。
【００３８】
また、補強部１８が、バンド部４１の側縁に沿うように周方向に延びて設けられている。この構成によれば、補強部１８によってバンド部４１の位置決めがなされるから、バンド部４１がずれて緩むことなく電線３１の束を充分に締め付けることができる。
【００３９】
また、ロック固定部１７が、バンド通道部１５の周方向における両端部に設けられている。この構成によれば、バンド通道部１５のどちらの側にも結束部材４０のロック部４２を位置決めできるから、結束部材４０の締め付け作業をどちらの側からも行うことができ、もってハーネス組み立て時の組み付け作業性を向上することができる。
【００４０】
また、バンド通道部１５のうち周方向における中間部に、バンド通道部１５を内外方向に連通する切欠き部１６が設けられている。この構成によれば、電線３１の束が細い場合であっても、切欠き部１６に結束部材４０のバンド部４１を通すことにより、細径電線３１Ａの束を充分に締め付けてしっかり固定することができる。
【００４１】
また、電線３１の束のうちハウジング３０の後面からバンド通道部１５までに配される部分をカバーするカバー本体１１を有し、バンド通道部１５のうちバンド部４１が沿う面２２が、カバー本体１１の後面よりも前側に位置している。この構成によれば、巻き付けられた結束部材４０のバンド部４１の厚み分が、カバー本体１１の後面から突出することを防ぐことができる。すなわち、バンド部４１の厚み分が電線カバー１０の後方に突出していると、スペースに制約がある場合に不利であるけれども、バンド部４１の厚み分がカバー本体１１の後面から突出しない（結束部材４０を巻き付けても電線カバー１０の後面の位置が変わらない）ので、スペースに制約がある場合に有利である。
【００４２】
＜他の実施例＞
本発明は上記記述及び図面によって説明した実施例に限定されるものではなく、例えば次のような実施例も本発明の技術的範囲に含まれる。
（１）上記実施例では、ハウジング３０の後面に対して電線３１の束を略平行な方向に屈曲して引き出す電線カバー１０を例示したが、これに限らず、本発明は、例えば、電線の束をハウジングの後面から後方にまっすぐに引き出す形態の電線カバーにも適用することができる。
（２）上記実施例では、補強部１８が、一対の第１補強部１８Ｆおよび第２補強部１８Ｓを有しているが、これに限らず、補強部は、ロック固定部を補強可能な任意の構造に変更することができる。
（３）上記実施例では、ロック固定部１７が、バンド通道部１５の周方向における両端部に設けられているが、これに限らず、ロック固定部を、バンド通道部の周方向における一方の端部のみに設けても良い。
（４）上記実施例では、バンド通道部１５に切欠き部１６が設けられているが、必ずしも切欠き部を設けなくても良い。
（５）上記実施例では、溝部２１の底面２２がカバー本体１１の後面よりも前側に位置しているが、これに限らず、溝部の底面はカバー本体の後面と前後方向に同じ位置、もしくはカバー本体の後面よりも後側の位置に配されていても良い。
【符号の説明】
【００４３】
１０…電線カバー
１１…カバー本体
１５…バンド通道部
１６…切欠き部
１７…ロック固定部
１８…補強部
２２…溝部の底面（バンド通道部のうちバンド部が沿う面）
３０…ハウジング
３１…電線
４０…結束部材
４１…バンド部
４２…ロック部
【図１】
2017059428.tif 000003
【図２】
2017059428.tif 000004
【図３】
2017059428.tif 000005
【図４】
2017059428.tif 000006
【図５】
2017059428.tif 000007
【図６】
2017059428.tif 000008
【図７】
2017059428.tif 000009
【図８】
2017059428.tif 000010
【図９】
2017059428.tif 000011
【図１０】
2017059428.tif 000012
【図１１】
2017059428.tif 000013
【図１２】
2017059428.tif 000014
【図１３】
2017059428.tif 000015
【図１４】
2017059428.tif 000016
【図１５】
2017059428.tif 000017
【図１６】
2017059428.tif 000018
【図１７】
2017059428.tif 000019
【図１８】
2017059428.tif 000020
【図１９】
2017059428.tif 000021